(57)【要約】【課題】強い力で操作された場合であっても破損を回避できる入力装置を提供することを課題とする。【解決手段】入力装置は、上板部と、角部を介して前記上板部と連設された前板部と、当該前板部の背面側に設けられた係合爪部と、を有する押しボタンと、前記係合爪部と係合した係合部と、軸受部と、前面側と背面側とを連通させた挿通孔とを、前記押しボタンの装着部に有する筐体と、前記軸受部に回転可能に軸支されるとともに、前記上板部と前記前板部の双方に接触可能に前記押しボタンと前記筐体との間に介装され、前記筐体内に設置された基板に実装されたスイッチ素子を押圧する押圧部材と、前記筐体の内面側に固定された本体部と、当該本体部から前面側に向かって延びるとともに前記挿通孔を通じて前記係合爪部と前記上板部との間に露出した抑え部とを有する固定部材と、を有する。【選択図】図１８
2017130288.tif 000002
【特許請求の範囲】
【請求項１】
上板部と、角部を介して前記上板部と連設された前板部と、当該前板部の背面側に設けられた係合爪部と、を有する押しボタンと、
前記係合爪部と係合した係合部と、軸受部と、前面側と背面側とを連通させた挿通孔とを、前記押しボタンの装着部に有する筐体と、
前記軸受部に回転可能に軸支されるとともに、前記上板部と前記前板部の双方に接触可能に前記押しボタンと前記筐体との間に介装され、前記筐体内に設置された基板に実装されたスイッチ素子を押圧する押圧部材と、
前記筐体の内面側に固定された本体部と、当該本体部から前面側に向かって延びるとともに前記挿通孔を通じて前記係合爪部と前記上板部との間に露出した抑え部とを有する固定部材と、
を有する入力装置。
【請求項２】
前記軸受部に軸支される軸部は、前記押圧部材の上端部かつ背面側に配置された請求項１に記載の入力装置。
【請求項３】
前記本体部は、前記筐体の内周壁に接触させた状態で配置された請求項１又は２に記載の入力装置。
【発明の詳細な説明】
【技術分野】
【０００１】
本発明は、入力装置に関する。
【背景技術】
【０００２】
電子装置が備える押しボタンスイッチ（スイッチ素子）を操作するための押しボタンを多方向から押圧可能とすることが求められる場合がある。従来、このような要請に応えることができる提案として、一端側を電子装置の機器ケースに対する固定端とした操作部と、この操作部に対する押圧動作の方向を変更する動作方向変更手段を備えた押しボタンスイッチ装置が知られている。このような押しボタンスイッチ装置における操作部は、機器ケースの異なる面に設けた操作窓を通じて押圧できるように設けられている。このような押しボタンスイッチ装置は、スイッチ素子の操作軸が延びる方向の延長線上に位置する操作窓を通じて操作部を押圧する場合だけでなく、他の操作窓を通じて操作部を押圧する場合でもスイッチ素子に押圧動作を伝達できる。すなわち、他の操作窓を通じて操作部を押圧する場合は、動作方向変更手段によって動作方向が変更されるため、スイッチ素子に対し、押圧動作を伝えることができる（例えば、特許文献１参照）。
【先行技術文献】
【特許文献】
【０００３】
【特許文献１】特開２００６−１６４６４１号公報
【発明の概要】
【発明が解決しようとする課題】
【０００４】
ところで、電子装置の用途や機能によっては、押しボタンが強い力で操作されることが想定される。例えば、緊急時の操作が想定される電子装置では、力の加減が困難な状況の使用者によって押しボタンが操作されることが想定される。強い力で操作されることが想定される電子装置の入力装置として、例えば、特許文献１が適用されると、操作窓の周囲が破損したり、一端側を機器ケースへの固定端としている操作部自体が破損したりすることが懸念される。
【０００５】
１つの側面では、本明細書開示の入力装置は、強い力で操作された場合であっても破損を回避できる入力装置を提供することを課題とする。
【課題を解決するための手段】
【０００６】
本明細書開示の入力装置は、上板部と、角部を介して前記上板部と連設された前板部と、当該前板部の背面側に設けられた係合爪部と、を有する押しボタンと、前記係合爪部と係合した係合部と、軸受部と、前面側と背面側とを連通させた挿通孔とを、前記押しボタンの装着部に有する筐体と、前記軸受部に回転可能に軸支されるとともに、前記上板部と前記前板部の双方に接触可能に前記押しボタンと前記筐体との間に介装され、前記筐体内に設置された基板に実装されたスイッチ素子を押圧する押圧部材と、前記筐体の内面側に固定された本体部と、当該本体部から前面側に向かって延びるとともに前記挿通孔を通じて前記係合爪部と前記上板部との間に露出した抑え部とを有する固定部材と、を有する。
【発明の効果】
【０００７】
本明細書開示の入力装置によれば、強い力で操作された場合であっても入力装置の破損が回避される。
【図面の簡単な説明】
【０００８】
【図１】図１は実施形態の入力装置を搭載した電子装置の斜視図である。
【図２】図２は電子装置の筐体を形成する前面側カバーに基板をネジ止めした様子を示す説明図である。
【図３】図３（Ａ）は電子装置が備える基板を一面側から観た説明図であり、図３（Ｂ）は電子装置が備える基板を他面側から観た説明図である。
【図４】図４は実施形態の電子装置から入力装置を取り外し、分解した状態を示す説明図である。
【図５】図５は実施形態の入力装置に含まれる押圧部材を電子装置の前面側カバーに装着した状態を示す説明図である。
【図６】図６は前面側カバーを電子装置の内側となる側から観た斜視図である。
【図７】図７は電子装置の筐体を形成する前面側カバーを電子装置の前面側から観た斜視図である。
【図８】図８は前面側カバーの６面図であり、図８（Ａ）は正面図、図８（Ｂ）は右側面図、図８（Ｃ）は左側面図、図８（Ｄ）は背面図、図８（Ｅ）は平面図、図８（Ｆ）は底面図である。
【図９】図９（Ａ）は実施形態の第３ボタンを前面側から観た斜視図であり、図９（Ｂ）は実施形態の第３ボタンを裏面側から観た斜視図である。
【図１０】図１０は第３ボタンの６面図であり、図１０（Ａ）は正面図、図１０（Ｂ）は右側面図、図１０（Ｃ）は左側面図、図１０（Ｄ）は背面図、図１０（Ｅ）は平面図、図１０（Ｆ）は底面図である。
【図１１】図１１は押圧部材の斜視図である。
【図１２】図１２は押圧部材の６面図であり、図１２（Ａ）は正面図、図１２（Ｂ）は右側面図、図１２（Ｃ）は左側面図、図１２（Ｄ）は背面図、図１２（Ｅ）は平面図、図１２（Ｆ）は底面図である。
【図１３】図１３は固定部材の斜視図である。
【図１４】図１４は固定部材の６面図であり、図１４（Ａ）は正面図、図１４（Ｂ）は右側面図、図１４（Ｃ）は左側面図、図１４（Ｄ）は背面図、図１４（Ｅ）は平面図、図１４（Ｆ）は底面図である。
【図１５】図１５は前面側カバーにおいて第３ボタンが設置される第４開口部の周辺を拡大して示す説明図である。
【図１６】図１６は押圧部材が装着された状態の第４開口部の周辺を拡大して示す説明図である。
【図１７】図１７は前面側カバーを電子装置の内側となる側に固定部材を装着した状態を示す説明図である。
【図１８】図１８（Ａ）は電子装置の正面図であり、図１８（Ｂ）は図１８（Ａ）におけるＡ−Ａ線に対応する線で前面側カバーを断面とした説明図である。
【図１９】図１９は、実施形態の第３ボタンを押圧することができる範囲を模式的に示す説明図である。
【図２０】図２０（Ａ）は押しボタンを垂直方向に断面とした比較例の入力装置を模式的に示す説明図であり、図２０（Ｂ）は押しボタンを水平方向に断面とした比較例の入力装置を模式的に示す説明図である。
【発明を実施するための形態】
【０００９】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１０】
（実施形態）
本実施形態の入力装置５０の説明に先立って、図２０（Ａ）、図２０（Ｂ）を参照しつつ、比較例の入力装置１５０について説明する。図２０（Ａ）は押しボタンを垂直方向に断面とした比較例の入力装置を模式的に示す説明図であり、図２０（Ｂ）は押しボタンを水平方向に断面とした比較例の入力装置を模式的に示す説明図である。
【００１１】
≪比較例≫
比較例の入力装置１５０は、筐体１２２と、押しボタン１５１と、押圧部材１５２と、を備える。筐体１２２は、スイッチ素子を実装した基板が内部に設置された電子装置の筐体である。押しボタン１５１は、上板部１５１ａと、この上板部１５１ａと角部１５１ｃを介して連設された前板部１５１ｂと、を備える。さらに、押しボタン１５１は、前板部１５１ｂの背面側、すなわち、図２０（Ｂ）において、筐体１２２に近い側に係合爪部１５１ｄ１を備える。係合爪部１５１ｄ１は、押しボタン１５１の両側に設けられている。
【００１２】
筐体１２２は、前面側に向かって延びる係合片１４１を備える。係合片１４１は、係合爪部１５１ｄ１と係合する係合部１４１ａを備える。また、筐体１２２は、軸受部１４２を備える。軸受部１４２は、係合片１４１の基端側に設けられている。軸受部１４２には、押圧部材１５２が備える軸部１５２ａが回転可能に軸支されている。押圧部材１５２は、上板部１５１ａと前板部１５１ｂの双方に接触可能に押しボタン１５１と筐体１２２との間に介装され、筐体１２２内に設置された基板に実装されたスイッチ素子を押圧する。軸受部１４２に軸支される軸部１５２ａは、押圧部材１５２の上端部かつ背面側に配置されている。これにより、押圧部材１５２は、上板部１５１ａが押圧された場合と、前板部１５１ｂが押圧された場合のいずれの場合にも矢示１６０で示すように軸部１５２ａを支点とした回転動作をすることができる。この結果、押圧部材１５２は、筐体１２２内のスイッチ素子を押圧することができる。
【００１３】
このように、比較例の入力装置１５０によれば、押しボタン１５１の上板部１５１ａを上方から押圧した場合であっても、前板部１５１ｂを前面側から押圧した場合であっても、スイッチ素子を操作することができる。また、押しボタン１５１の角部１５１ｃを押圧した場合にも同様にスイッチ素子を操作することができる。なお、上板部１５１ａを押圧する場合、その押圧方向は、上板部１５１ａに対する完全な垂直方向に限定されず、押圧部材１５２を回転させる方向であれば、上面側前方からの押圧であったり、上面側後方からの押圧であったりしてもよい。同様に、前板部１５１ｂを押圧する場合、その押圧方向は、完全な水平方向に限定されず、押圧部材１５２を回転させる方向であれば、前面側下方からの押圧であったり、前面側上方からの押圧であったりしてもよい。このように、多方向から押圧可能とする入力装置１５０は、例えば、トイレの便座の開閉を行うリモコン等に用いることができる。
【００１４】
比較例の入力装置１５０において、押しボタン１５１の係合爪部１５１ｄ１を係合部１４１ａに係合させる場合、少なくとも一方の係合爪部１５１ｄ１を外側に広げるように撓ませ、係合爪部１５１ｄ１を係合部１４１ａに係合させる。例えば、押しボタン１５１を筐体１２２の上方から係合部１４１ａに向かってスライドさせつつ、一方の係合爪部１５１ｄ１をこれに対応する係合部１４１ａに係合させ、その後、押しボタン１５１を他方の係合爪部１５１ｄ１側へ動かす。これにより、先に係合部１４１ａと係合している係合爪部１５１ｄ１が撓むとともに、他方の係合爪部１５１ｄ１が他方の係合部１４１ａと重なる範囲が減少する。このように、他方の係合爪部１５１ｄ１が他方の係合部１４１ａと重なる範囲が減少した状態で、押しボタン１５１を筐体１２２側に押し込むと、他方の係合爪部１５１ｄ１が撓み、その先端部が他方の係合部１４１ａを乗り越え、他方の係合部１４１ａと係合した状態となる。
【００１５】
以上のように、押しボタン１５１は、容易に筐体１２２に取り付けることができる。ここで、押しボタン１５１の脱落等、入力装置１５０の破損を回避するためには、例えば、係合爪部１５１ｄ１と係合部１４１ａとを深く係合させればよい。しかしながら、係合爪部１５１ｄ１と係合部１４１ａとを深く係合させようとすると、係合爪部１５１ｄ１を係合部１４１ａに係合する際に必要となる係合爪部１５１ｄ１の撓み量も大きくなる。このため、係合爪部１５１ｄ１の破損の回避を考慮すると、係合爪部１５１ｄ１と係合部１４１ａとを係合させる深さには、限界がある。
【００１６】
このように、係合爪部１５１ｄ１と係合部１４１ａとを係合させる深さに制限があると、例えば、図２０（Ａ）中、矢示１６１で示すように、前面側下方から押しボタン１５１が押された場合に、押しボタン１５１が脱落する可能性がある。同様に、図２０（Ａ）中、矢示１６２で示すように、上面側後方から押しボタン１５１が押された場合に、押しボタン１５１が脱落する可能性がある。特に、押しボタン１５１が強い力で操作されることが想定される電子装置に入力装置１５０が採用される場合には、押しボタン１５１の脱落等、入力装置１５０が破損する可能性が高まる。
【００１７】
≪本実施形態≫
つぎに、図１乃至図１９を参照しつつ、本実施形態の入力装置５０について説明する。なお、以下の説明では、電子装置１の前面側、背面側、上面側、左側、右側を、図１等に示すように設定することとする。
【００１８】
図１を参照すると、電子装置１は、例えば、室内の壁面や柱等に設置され、高齢者等の様子を見守る装置である。高齢者等は、電子装置１を介して、遠隔地にいる家族や医療従事者、介護者等と通話することができ、遠隔地にいる家族等は、電子装置１を介して高齢者等の様子を知ることができる。電子装置１は、インターネット等を介して外部と通信可能に構成されている。電子装置１は、前面側カバー２ａと背面側カバー２ｂを組み合わせて構成される筐体２を備える。前面側カバー２ａは、前面部２１とこの前面部と連続する上面部２２を備える。前面部２１には、電子装置１が設置された室内の様子を撮影することができるカメラ３が設けられている。前面部２１には、音孔となる複数の第１開口部２ａ１が設けられており、この第１開口部２ａ１からは、それぞれ、音響部品２０が露出している。前面側カバー２ａには、人感センサ４、スピーカー５、電子装置１の作動状況を示す作動ランプ７が装着されている。
【００１９】
電子装置１は、第１ボタン６ａ、第２ボタン６ｂ及び第３ボタン５１を備える。第３ボタン５１は、電子装置１が備える入力装置５０に含まれる。第１ボタン６ａは、電子装置１の通話状態等を終了させる停止ボタンとなっている。第２ボタン６ｂは、利用者が電子装置１を通じて通話するための通話開始ボタンとなっている。第３ボタン５１は、入力装置５０に含まれる押しボタンに相当する。第３ボタン５１は、緊急時に用いられるボタンであり、第３ボタン５１が操作されると即座に外部へ発信され、緊急事態であることが通知される。緊急事態が生じたときには、利用者が慌ててしまい、正確なボタン操作をし難くなることが想定される。そこで、第３ボタン５１は、第１ボタン６ａや第２ボタン６ｂと比較して大型であり、また、前面側カバー２ａの前方や上方等、多方向からの押圧動作に対応できる形状及び構造を備えている。第３ボタン５１を含む入力装置５０については、後に詳述する。
【００２０】
電子装置１の筐体２内には、図２に示すように基板３０が設けられている。基板３０は、ネジ３３によって前面側カバー２ａに取り付けられている。図３（Ａ）、図３（Ｂ）を参照すると、基板３０には、前面側カバー２ａに設けられた複数の第１開口部２ａ１の位置に対応する位置にマイク素子３１が実装されている。音響部品２０は、基板３０に実装されたマイク素子３１毎に設けられている。音響部品２０は、特定周波数を低減する。基板３０には、第１スイッチ素子３２ａ、第２スイッチ素子３２ｂ及び第３スイッチ素子３２ｃが実装されている。第１スイッチ素子３２ａは、第１ボタン６ａを介して使用者に押圧操作される。第２スイッチ素子３２ｂは、第２ボタン６ｂを介して使用者に押圧操作される。第３スイッチ素子３２ｃは、第３ボタン５１を介して押圧操作される。第３ボタン５１は、大型であるため、これに対応させて２個の第３スイッチ素子３２ｃが実装されている。２個の第３スイッチ素子３２ｃは、どちらが押圧されても、同一の信号を発する。
【００２１】
図４及び図５を参照すると、前面側カバー２ａには、第２開口部２ａ２、第３開口部２ａ３、第４開口部２ａ４及び第５開口部２ａ５が設けられている。これらのうち、第２開口部２ａ２、第３開口部２ａ３及び第５開口部２ａ５は、前面側カバー２ａの前面部２１に設けられている。第２開口部２ａ２には、第１ボタン６ａが装着されている。第３開口部２ａ３には、第２ボタン６ｂが装着されている。第５開口部２ａ５には、人感センサ４が装着される。
【００２２】
一方、第４開口部２ａ４は、第３ボタン５１の装着部であり、前面側カバー２ａの前面部２１と上面部２２とに亘って凹状に設けられている。第３ボタン５１は、その上板部５１ａを前面側カバー２ａの上面部２２と一致させるとともに、前板部５１ｂを前面側カバー２ａの前面部２１と一致させた状態で第４開口部２ａ４に取り付けられている。
【００２３】
ここで、入力装置５０について、詳細に説明する。入力装置５０には、図４や図５に示すように、押しボタンに相当する第３ボタン５１、第３ボタン５１が装着される筐体２、押圧部材５２が含まれ、さらに、図６に示すように固定部材５４が含まれる。また、本実施形態の入力装置５０にあっては、押圧部材５２に組み付けられる接触部材５３を備える。
【００２４】
図７、図８（Ａ）〜（Ｆ）を参照すると、前面側カバー２ａは、第４開口部２ａ４内に、筐体２の内外を連通する窓部４０を備える。窓部４０は、押圧部材５２が筐体２内の基板３０に実装された第３スイッチ素子３２ｃにアクセスするための開口である。窓部４０の両側には、係合片４１がそれぞれ前面側に向かって延設されている。第４開口部２ａ４内の左側に設けられた係合片４１には、左側方に向かって延びる係合部４１ａが設けられている。第４開口部２ａ４内の右側に設けられた係合片４１には、右側方に向かって延びる係合部４１ａが設けられている。係合部４１ａは、それぞれ、後に説明する第３ボタン５１が備える係合爪部５１ｄ１と係合する。
【００２５】
また、双方の係合片４１の基端側上縁部には、軸受部４２が設けられている。さらに、係合片４１の基端部近傍には、それぞれ、前面側カバー２ａの前面側と背面側とを連通させた挿通孔４３が設けられている。
【００２６】
さらに、前面側カバー２ａは、筐体２の内側となる側に、音響部品２０を装着するための音響部品装着部８、基板３０をネジ止めするためのネジ受け部９、基板３０の位置決めをする位置決め突部１０を備える。また、前面側カバー２ａは、固定部材５４を取り付けるための複数の取付突起１１を備える。取付突起１１は、挿通孔４３の周囲に設けられている。
【００２７】
図９、図１０（Ａ）〜（Ｆ）を参照すると、第３ボタン５１は、上板部５１ａと、角部５１ｃを介して上板部５１ａと連設された前板部５１ｂを備える。さらに、第３ボタン５１は、前板部５１ｂの背面側に設けられた係合爪部５１ｄ１を有する。係合爪部５１ｄ１は、前板部５１ｂの両側部にそれぞれ背面側に向かって設けられた側板部５１ｄに設けられている。係合爪部５１ｄ１は、それぞれの側板部５１ｄから、それぞれ、内側に延びるように設けられている。係合爪部５１ｄ１は、側板部５１ｄの上下方向のおおよそ中間部に設けられており、係合爪部５１ｄ１と上板部５１ａとの間には、隙間が形成されている。
【００２８】
上板部５１ａの下面側には、当接リブ５１ａ１が設けられている。当接リブ５１ａ１は、押圧部材５２に当接する部分である。前板部５１ｂの背面側にも、当接リブ５１ｂ１が設けられている。当接リブ５１ｂ１も、押圧部材５２に当接する部分である。
【００２９】
図１１、図１２（Ａ）〜（Ｆ）を参照すると、押圧部材５２は、その両側に軸部５２ａを備える。また、押圧部材５２は、上板部５２ｂと、これに連設された前板部５２ｃを備える。軸部５２ａは、図１２（Ｂ）や図１２（Ｃ）によく表れているように、押圧部材５２の上端部かつ背面側に配置されている。これにより、上板部５２ｂを押されても、前板部５２ｃを押されても、軸部５２ａを支点とした回転動作をすることができ、第３スイッチ素子３２ｃを押圧することができる。前板部５２ｃの背面側には、板状の接触部材５３を取り付けるための取付突起５２ｃ１が設けられている。なお、接触部材５３には、図１７に表れているようにゴム製の押圧凸部５３ａが設けられている。押圧部材５２は、押圧凸部５３ａを介して基板３０に実装された第３スイッチ素子３２ｃを押圧する。このような押圧部材５２は、後に詳述するように、第３ボタン５１の上板部５１ａと前板部５１ｂの双方に接触可能に第３ボタン５１と前面側カバー２ａとの間に介装される。
【００３０】
図１３、図１４（Ａ）〜（Ｆ）を参照すると、固定部材５４は、板状の本体部５４ａと、この本体部から前面側に向かって延びる抑え部５４ｂを備える。本体部には、３つの取付穴５４ａ１が設けられている。取付穴５４ａ１には、前面側カバー２ａに設けられた取付突起１１が挿通され、固定部材５４が前面側カバー２ａに取り付けられる。抑え部５４ｂは、前面側カバー２ａの背面側から挿通孔４３を通じて係合爪部５１ｄ１と上板部５１ａとの間に露出する。
【００３１】
つぎに、図１５乃至図１７を参照しつつ、入力装置５０の組み立てについて説明する。図１５を参照すると、前面側カバー２ａには、第４開口部２ａ４内に設けられた係合片４１の基端側上縁部に、軸受部４２が設けられているので、この軸受部４２に押圧部材５２が備える軸部５２ａを軸支する。そして、図１６に示すように、固定部材５４を覆うように第３ボタン５１を前面側カバー２ａに装着する。このとき、第３ボタン５１は、係合爪部５１ｄ１と係合部４１ａとが係合するように、前面側カバー２ａの上方側から第４開口部２ａ４内へ滑り込ませるようにして前面側カバー２ａに装着される。このように前面側カバー２ａを装着することにより、押圧部材５２が上板部５１ａと前板部５１ｂの双方に接触可能に第３ボタン５１と前面側カバー２ａとの間に介装された状態となる。なお、押圧部材５２は、当接リブ５１ａ１、５１ｂ１と当接する。
【００３２】
つぎに、図１７に示すように、前面側カバー２ａの内側から固定部材５４を装着する。固定部材５４は、２カ所に装着される。固定部材５４は、取付穴５４ａ１に取付突起１１を挿通させることで、前面側カバー２ａに装着される。前面側カバー２ａに装着された固定部材５４の本体部５４ａは、前面側カバー２ａの内周壁に接触させた状態とされる。これにより、入力装置５０の強度を向上させることができる。固定部材５４を前面側カバー２ａに装着するとき、抑え部５４ｂは、挿通孔４３を通じて、係合爪部５１ｄ１と上板部５１ａとの間に露出した状態とされる。抑え部５４ｂは、係合爪部５１ｄ１の上側に位置することで、第３ボタン５１が上方に移動し、脱落することを防止する。
【００３３】
取付穴５４ａ１に挿通された取付突起１１には、その先端部を熱によって溶融され、押し広げられる溶着処理が施される。これにより、固定部材５４が前面側カバー２ａに固定される。なお、固定部材５４を前面側カバー２ａに固定する方法は、溶着処理に限定されない。例えば、ネジ止めやカシメ等の従来公知の手法を採用してもよい。
【００３４】
以上のような工程を得ることにより、図１８（Ａ）、図１８（Ｂ）に示すような入力装置５０を得ることができる。入力装置５０では、第３ボタン５１が押圧されることにより、押圧部材５２が矢示６０のように回転し、第３スイッチ素子３２ｃを押圧することができる。入力装置５０は、係合爪部５１ｄ１と係合部４１ａとが係合することで、第３ボタン５１が前面側に脱落することが防止される。係合爪部５１ｄ１と係合部４１ａとの係合は、第３ボタン５１を前面側カバー２ａの上方側から第４開口部２ａ４内へ滑り込ませることで実現される。このため、係合爪部５１ｄ１を係合部４１ａと係合させる際に、係合爪部５１ｄ１を撓ませる必要がない。従って、係合爪部５１ｄ１の強度を高めることができる。また、係合爪部５１ｄ１と係合部４１ａとを深く係合させることができる。この結果、第３ボタン５１の脱落防止効果を高めることができる。さらに、係合爪部５１ｄ１の上方に、抑え部５４ｂが配置されていることで、第３ボタン５１が上面側に脱落することが防止される。
【００３５】
従って、第３ボタン５１は、例えば、図１８（Ｂ）中、矢示６１で示すように、前面側下方から押された場合や、矢示６２で示すように上面側後方より押された場合であっても脱落することがない。また、第３ボタン５１は、上板部５１ａと前板部５１ｂとが角部５１ｃを介して連続しているため、第３ボタン５１のどの部分を押圧しても第３スイッチ素子３２ｃを操作することができる。すなわち、第３ボタン５１は、操作可能な部位が例えば、操作窓等で分断されていないため、使用者は、操作箇所を的確に狙わなくても第３スイッチ素子３２ｃを操作することができる。さらに、操作可能な部位が分断されていると、操作可能な部位を分断する部分が強い力で押されることが想定され、当該箇所が破損する可能性があるが、本実施形態の入力装置５０では、このような心配はない。
【００３６】
さらに、本実施形態の入力装置５０では、組み立て時の係合爪部５１ｄ１の撓みを考慮しなくてよいため、係合爪部５１ｄ１を太くすることができたり、固定部材５４が補強材としても機能したりするため、強度が高い。このように、本実施形態の入力装置５０によれば、強い力で操作された場合であってもその破損が回避される。
【００３７】
なお、図１９は、第３ボタン５１の押圧可能な範囲を模式的に示している。第３ボタン５１は、軸部５２ａよりも前面側を、押圧する方向の成分としてθに収まる方向成分を含む力で押圧すれば、第３スイッチ素子３２ｃを操作することができる。ここで、θは、前面側から上面側に亘る概ね９０°の範囲である。従って、例えば、矢示６１、６２及び６３で示す方向等、多方向からの押圧操作が許容される。本実施例の入力装置５０によれば、矢示６１や矢示６２で示す方向のように、第３ボタン５１に前面側下方や上面側後方から力が加えられても、第３ボタン５１が脱落することはない。
【００３８】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００３９】
１  電子装置
２  筐体
２ａ  前面側カバー
２ａ４  第４開口部
１１  取付突起
４１  係合片
４１ａ  係合部
４２  軸受部
４３  挿通孔
５０  入力装置
５１  第３ボタン
５１ａ  上板部
５１ｂ  前板部
５１ｃ  角部
５１ｄ  側板部
５１ｄ１  係合爪部
５２  押圧部材
５２ａ  軸部
５４  固定部材
５４ａ  本体部
５４ｂ  抑え部
【図１】
2017130288.tif 000003
【図２】
2017130288.tif 000004
【図３】
2017130288.tif 000005
【図４】
2017130288.tif 000006
【図５】
2017130288.tif 000007
【図６】
2017130288.tif 000008
【図７】
2017130288.tif 000009
【図８】
2017130288.tif 000010
【図９】
2017130288.tif 000011
【図１０】
2017130288.tif 000012
【図１１】
2017130288.tif 000013
【図１２】
2017130288.tif 000014
【図１３】
2017130288.tif 000015
【図１４】
2017130288.tif 000016
【図１５】
2017130288.tif 000017
【図１６】
2017130288.tif 000018
【図１７】
2017130288.tif 000019
【図１８】
2017130288.tif 000020
【図１９】
2017130288.tif 000021
【図２０】
2017130288.tif 000022